(57)【要約】【課題】  従来のカード送付用台紙においては、貼着させるカードに特別な加工をしなくても、カードと台紙とを簡単に貼着・剥離させることができ、且つカードを包帯内に入れて送付した場合であっても、該カードが包帯内で動かないようにすること。【解決手段】  包袋内に入れて送付する複数のカードを台紙基材に剥離可能な状態で貼着できるカード送付用の台紙であって、該台紙基材には、二つ折りするための罫線と、カード貼着位置を示す罫線とが設けられ、該カード貼着位置を示す罫線内に貼着されるカードの面積よりも小面積の粘着性材を設け、前記二つ折り罫線を折って、前記カードの両面に粘着性材を貼着させて該カードを両面から拘持することにより、貼着させるカードに特別な加工をしなくても、カードと台紙とを簡単に貼着・剥離させることができ、且つカードを包帯内に入れて送付した場合であっても、該カードが包帯内で動かないようにすることができるようになる。【選択図】図１
2005178255.tif 000002
【特許請求の範囲】
【請求項１】
包袋内に入れて送付する複数のカードを台紙基材に剥離可能な状態で貼着できるカード送付用の台紙であって、
該台紙基材には、二つ折りするための罫線と、カード貼着位置を示す罫線とが設けられ、
該カード貼着位置を示す罫線内に貼着されるカードの面積よりも小面積の粘着性材を設け、
前記二つ折り罫線を折って、前記カードの両面に粘着性材を貼着させて該カードを両面から拘持すること
を特徴とするカード送付用台紙。
【請求項２】
前記粘着性材は、
両面テープまたは糊材であること
を特徴とする請求項１に記載のカード送付用台紙。
【請求項３】
前記両面テープは、
台紙基材側が強粘着剤で形成され、カード側が弱粘着剤で形成されていること
を特徴とする請求項２に記載のカード送付用台紙。
【発明の詳細な説明】
【技術分野】
【０００１】
本発明は、例えば、カード式健康保険証、クレジットカード、キャッシュカード、会員証、テレホンカード、カード型ＣＤ−ＲＯＭ等の各種カードを包帯内に入れ郵送等によって送付する際に、該包帯内で前記カードが動かないように固定されておくためのカード送付用台紙に関するものである。
【背景技術】
【０００２】
従来、クレジットカード、キャッシュカードまたは会員証等のカードにおいては、一般的に、該カードを封筒等の包帯内に入れ郵送等の手段によって所定の時期等にそれぞれの銀行または会社等から送付されている。
【０００３】
しかし、前記包帯内にカードを収納させた状態で、該カードをそのまま送付した場合には、該カードが前記包帯内で自由に動いてしまうため、該包帯内でのカードの安定性が悪くなるばかりでなく、カードの端部で前記包帯が破けたり、カード自体が破損してしまったりすることがある。
【０００４】
そこで、カードを包帯内に入れて送付する際に、該カードが包帯内で動かないようにできるものとしては、例えば、シート状基材に、正カードを剥離可能に接着するとともに、適宜枚数の各種カードを剥離可能に接着したカード用紙がある。
【特許文献１】特開平７−８１２７７号公報
【０００５】
この特許文献１の公知技術においては、第１の方法として、ポリエチレン製のフィルムに粘着剤を塗布し、該フィルムの粘着剤が塗布されていない他面をカードの裏面側の全体に熱ロールによって剥離可能に擬似的に熱接着させ、前記粘着剤とフィルムとを介してカードをカード支持片に接着させるものである。
【０００６】
また、第２の方法として、感圧性接着剤をカードの裏面側の全体に塗布しておき、該感圧性接着剤が塗布されたカードに所定の圧を加えてカード支持片に剥離可能な状態で接着させるものである。
【０００７】
第３の方法として、ポリエステルからなるフィルムの裏面側に粘着剤を設けてカード支持片に接着する一方、表面側にはエチレン酢酸ビニル樹脂を主成分とする感熱性接着剤を一端部を除いて溶融塗布し、この塗布面にカードの裏面側を重ねた状態で熱ロールによりラミネートして形成し、カードとカード支持片とを接着させるものである。
【０００８】
このように、この特許文献１の公知技術においては、フィルムと粘着剤とを介してまたは感圧性接着剤を介してカードの裏面側をカード支持片に接着させる構成であるため、該カードの表面側の安定性が不足するものであるが、カードの裏面側における全体または一端部を除いて接着するという比較的カード裏面の広い範囲を接着することによって、カードとカード支持片との接着による安定性を担保しているものである。
【発明の開示】
【発明が解決しようとする課題】
【０００９】
しかしながら、前記特許文献１の公知技術においては、予めカードの裏面側にフィルムまたは感圧性接着剤を設けるという熱処理等の加工を行っておかなければならないことから、該加工によるコストがかかり、また、カード裏面の全体または一端部を除いて接着するという比較的広い範囲を接着させることから、剥離性が損なわれるという問題点を有している。
【００１０】
従って、従来のカード送付用台紙においては、貼着させるカードに特別な加工をしなくても、カードと台紙とを簡単に貼着・剥離させることができ、且つカードを包帯内に入れて送付した場合であっても、該カードが包帯内で動かないようにするということに解決しなければならない課題を有している。
【課題を解決するための手段】
【００１１】
上記した従来例の課題を解決する具体的手段として本発明に係るカード送付用台紙は、包袋内に入れて送付する複数のカードを台紙基材に剥離可能な状態で貼着できるカード送付用の台紙であって、該台紙基材には、二つ折りするための罫線と、カード貼着位置を示す罫線とが設けられ、該カード貼着位置を示す罫線内に貼着されるカードの面積よりも小面積の粘着性材を設け、前記二つ折り罫線を折って、前記カードの両面に粘着性材を貼着させて該カードを両面から拘持することを最も主要な特徴とする。
【００１２】
この発明において、前記粘着性材は、両面テープまたは糊材であること；前記両面テープは、台紙基材側が強粘着剤で形成され、カード側が弱粘着剤で形成されていること；を付加的な要件として含むものである。
【発明の効果】
【００１３】
以上説明したように、本発明に係るカード送付用台紙は、包袋内に入れて送付する複数のカードを台紙基材に剥離可能な状態で貼着できるカード送付用の台紙であって、該台紙基材には、二つ折りするための罫線と、カード貼着位置を示す罫線とが設けられ、該カード貼着位置を示す罫線内に貼着されるカードの面積よりも小面積の粘着性材を設け、前記二つ折り罫線を折って、前記カードの両面に粘着性材を貼着させて該カードを両面から拘持することにより、カードを台紙に簡単に貼着させることができると共に、台紙からカードを簡単に剥離でき、該カードを包帯内に入れて送付した場合であっても、該カードが包帯内で動かないようにでき、更に、カードに特別な加工をする必要がなく、また、使用する粘着性材がカードよりも小面積で良いことから、コストを削減することができるという優れた効果を奏する。
【００１４】
また、前記粘着性材として、台紙基材側を強粘着剤で形成し、カード側を弱粘着剤で形成した両面テープを使用した場合には、カードの剥離性が極めて良くなると共に、粘着性材の一部がカードに残存することが全くないという優れた効果を奏する。
【発明を実施するための最良の形態】
【００１５】
台紙に二つ折りするための罫線と、カード貼着位置を示す罫線とを設け、該カード貼着位置を示す罫線内に、台紙側を強粘着剤で形成し、カード側を弱粘着剤で形成した粘着性材を貼着されるカードの面積よりも小面積にして設け、前記二つ折り罫線を折って、前記カードの両面に粘着性材を貼着させて該カードを両面から拘持することにより最良の形態となる。
【実施例１】
【００１６】
次に、本発明を具体的な実施の形態に基づいて詳しく説明する。
本発明に係るカード送付用台紙の実施例１を図１〜図４を用いて説明する。図１に、カード送付用台紙１の略示的な平面図を示してある。このカード送付用台紙１は、台紙基材２にカード３を貼着させて、郵送等によって該カード３を送付する際に、該カード３が動かないように固定させておくためのものである。
【００１７】
このカード３としては、例えば、カード式健康保険証、クレジットカード、キャッシュカード、会員証、テレホンカードまたはカード型ＣＤ−ＲＯＭ等の各種のカードを使用することができ、該カードをそのまままたは所定の包装内に該カードを収納した状態で台紙基材２に貼着させるものである。
【００１８】
台紙基材２の表面２ａ側には、該台紙基材２の略中央部に二つ折りするための罫線４、即ち二つ折りにする位置を示した罫線が設けられており、該二つ折りするための罫線４に沿って前記台紙基材２を二つ折りにすることにより、該台紙基材２でカード３の全体を容易に被覆できる大きさに折り曲げることができるようになっている。
【００１９】
この二つ折りするための罫線４は、台紙基材２を二つ折りにする位置が解れば良いのであり、例えば、ミシン目等で示しても良く、また、必ずしも台紙基材２の略中央部に設けることに限定するものではなく、該台紙基材２を二つに折り曲げた際に、カード３を被覆できる位置であれば、台紙基材２内のいずれの位置に設けても良く、また本発明に係るカード送付用台紙１は、例えば、折り曲げ用の罫線を複数設け、台紙基材２で複数回折り曲げてカード３の周囲を被覆することまたは観音開き状にすること等も含むものである。
【００２０】
また、台紙基材２の表面２ａ側には、貼着させるカード３と同一乃至該カード３よりも大きな形状の複数のカード貼着位置を示す罫線５ａ、５ｂが、二つ折りするための罫線４に沿って対称に設けられている。
【００２１】
前記カード貼着位置を示す罫線５ａ、５ｂは、前記カード３を台紙基材２の表面２ａに貼着させる位置を示したものであり、例えば、カード貼着位置を示す範囲を着色して示しても良く、前記カード貼着位置を示す罫線５ａ、５ｂで区画された範囲内に前記カード３を配設させることにより、該カード３が台紙基材２からはみ出すことなく、該台紙基材２に貼着できるようになっていれば良い。
【００２２】
前記カード貼着位置を示す罫線５ａ、５ｂのそれぞれの内側には、貼着させるカード３の面積よりも小面積の粘着性材６ａ、６ｂを設けている。この粘着性材６ａ、６ｂを設ける位置には、該粘着性材６ａ、６ｂを設けた位置が明確に解るように、例えば、該粘着性材６ａ、６ｂを設けた位置を示す罫線等を設けても良い。
【００２３】
前記粘着性材６ａ、６ｂの面積は、前記カード３の全体が接着されない範囲、例えば、該カード３の四辺が接着されない程度の面積であれば良く、１つのカード貼着位置を示す罫線５ａ、５ｂ内に設けられる前記粘着性材６ａ、６ｂの面積が、貼着されるカード３の面積の略２〜３０％程度の範囲の面積であることが好ましい。
【００２４】
この粘着性材６ａ、６ｂとしては、例えば、両面テープまたは糊材等の粘着性材を使用することができ、台紙基材２側が強粘着剤で形成され、カード３側が弱粘着剤で形成された両面テープからなる粘着性材を使用することが好ましい。この台紙基材２側が強粘着剤で形成され、カード３側が弱粘着剤で形成された両面テープとしては、例えば、両面粘着テープ（住友スリーエム（株）社製：４５９１ＨＬまたは９４１５ＰＣ）等を使用することができる。
【００２５】
前記粘着性材６ａ、６ｂは、カード貼着位置を示す罫線５ａ、５ｂ内の略中央部にそれぞれ設けることが好ましいが、例えば、カード貼着位置を示す罫線５ａ内の上端に粘着性材６ａを設け、カード貼着位置を示す罫線５ｂ内の下端に粘着性材６ｂ設ける等のいずれの位置に設けても良い。
【００２６】
そして、カード貼着位置を示す罫線５ａ内にカード３を配設し、該カード３を粘着性材６ａに貼着させ、該カード３が貼着された台紙基材２の表面２ａ側が内側になるようにして、該台紙基材２を二つ折りするための罫線４に沿って折り、カード貼着位置を示す罫線５ｂ内に設けられた粘着性材６ｂを前記カード３の他面に貼着させ、該カード３を両面から拘持するのである。
【００２７】
図２に、カード３を両面から拘持した状態のカード送付用台紙１の略示的な側面図を示してある。なお、この図２においては、粘着性材６ａ、６ｂとして、両面テープを使用した場合を示してある。
【００２８】
両面テープからなる粘着性材６ａ、６ｂは、フィルム基材７ａを介して、台紙基材２側の粘着剤７ｂと、カード３側の粘着剤７ｃとが形成されている。つまり、粘着性材６ａ、６ｂが両面テープである場合は、該粘着性材６ａ、６ｂの粘着剤７ｂを台紙基材２に貼着させ、粘着剤７ｃをカード３に貼着させるのである。
【００２９】
粘着性材６ａ、６ｂが貼着された台紙基材２の、例えば、カード貼着位置を示す罫線５ａ内にカード３を配設して前記粘着性材６ａに貼着させ、前記台紙基材２を二つ折りするための罫線４に沿って折り、該台紙基材２のカード貼着位置を示す罫線５ｂ内に設けられた粘着性材６ｂをカード３に貼着させる、即ち、該粘着性材６ａ、６ｂをカード３の表裏面にそれぞれ貼着させることにより、該カード３を両面から拘持することができるため、粘着性材６ａ、６ｂの面積がカード３の面積よりも小面積であっても、カード３の片面のみを支持する場合よりも該カード３を安定した状態で支持・拘持できるのである。
【００３０】
そして、台紙基材２の粘着性材６ａ、６ｂにカード３の両面がそれぞれ貼着された状態で、該カード３を前記台紙基材２の粘着性材６ａ、６ｂから剥離させる場合には、該粘着性材６ａ、６ｂが前記カード３の面積よりも小面積であるため、該カード３の全体が貼着された場合よりも前記粘着性材６ａ、６ｂのそれぞれの粘着力は低くなるので、例えば、前記カード３を押さえた状態で前記台紙基材２を引き剥がすことで、該カード３から前記カード３を簡単に剥離させることができるのである。
【００３１】
更に、粘着性材６ａ、６ｂとして、台紙基材２側が強粘着剤で形成され、カード３側が弱粘着剤で形成された両面テープからなる粘着性材を使用した場合には、前記台紙基材２側が強粘着剤であるため、前記粘着性材６ａ、６ｂが台紙基材２から剥離することがなく、該カード３側が弱粘着剤であって前記台紙基材２側と粘着力に差が生じるため、該カード３を前記台紙基材２の粘着性材６ａ、６ｂから剥離させることがより一層容易になると共に、該剥離したカード３に前記粘着性材６ａ、６ｂの一部が残存するということがないのである。
【００３２】
また、カード貼着位置を示す罫線５ａ、５ｂで区画された範囲内には、必ずしも全てのカード貼着位置を示す罫線５ａ、５ｂ内にカード３を配設させる必要はなく、例えば、複数のカード貼着位置を示す罫線５ａ、５ｂが設けられたカード送付用台紙１に、１枚のカード３を配設し貼着させるだけであっても良い。
【００３３】
このようにカード貼着位置を示す罫線５ａ、５ｂが設けられた数よりも少ない枚数でカード３を配設させる場合で、且つ粘着性材６ａ、６ｂとして両面テープを使用する場合には、図３に示したように、前記カード３が配設されないカード貼着位置を示す罫線５ａ、５ｂに設けられた粘着性材６ａ、６ｂにおける剥離紙８は、配設したままの状態または剥離した状態のいずれでも良い。
【００３４】
この際、剥離紙８を配設したままの状態にした場合には、該剥離紙８の存在により、折り曲げた台紙基材２が接着されることがないので、該台紙基材２からカード３を剥離させることが容易になり、剥離紙８を剥離した状態にした場合には、カード３が配設されていないカード貼着位置を示す罫線５ａ、５ｂに設けられた粘着性材６ａ、６ｂが台紙基材２に接着されるため、カード３をより一層安定した状態で拘持できるようになるのである。
【００３５】
図４に、台紙基材２の表面２ａのカード貼着位置を示す罫線５ａ、５ｂ内にカード３が配設され貼着された状態のカード送付用台紙１を包帯９内に入れ、該包帯９を郵送等によって送付できるようにする状態を示した平面図を示してある。この包帯９としては、例えば、封筒等を使用することができる。
【００３６】
図４に示したように、例えば、カード送付用台紙１の大きさを包帯９と略同一の大きさにすることで、該包帯９内に前記カード送付用台紙１を収納させることができ、該カード送付用台紙１にカード３が拘持されているので、該カード３が包帯９内で動かないようにすることができるのである。
【００３７】
更に、カード３の周囲は、カード送付用台紙１の台紙基材２によって被覆された状態であるため、該台紙基材２で前記カード３を保護し、該カード３に傷・破損等が生じないようにできるのである。
【００３８】
このように、台紙基材２に設けられた粘着性材６ａ、６ｂをカード３の両面に貼着させて拘持することにより、該貼着されるカード３に、熱ロールによるフィルム加工等の特別な加工をしなくても、前記カード３と台紙基材２とを簡単に貼着・剥離させることができ、且つカードを包帯９内に入れて送付した場合であっても、該カード３が包帯９内で動かないようにすることができると共に、該カード３を前記台紙基材２で保護することができるようになり、更に、一度に複数のカード３（図では最大４枚）を同時に送付できるようになるのである。
【００３９】
なお、台紙基材２の裏面２ｂには、カード３の説明書き、規約または宛先等を記載して、包帯９内に収納させる紙面等を削減できるようにしても良い。
【実施例２】
【００４０】
次に、本発明に係る実施例２のカード送付用台紙２１を図５を用いて説明する。なお、この実施例２においては、前記実施例１の粘着性材を１つのカード貼着位置を示す罫線内に複数設け、複数の台紙基材を連接させたものであり、その他の構成については、前記実施例１と実質的に同一であるため、前記実施例１と実質的に同一の部分については、同一の符号を付し、説明が重複するため、その詳細な説明は省略する。
【００４１】
図５に、実施例２のカード送付用台紙２１の略示的な平面図を示してある。この実施例２においては、カード送付用台紙２１の台紙基材２２に設ける二つ折りするための罫線２４をミシン目で形成し、複数の台紙基材２２を連接させたものである。
【００４２】
カード送付用台紙２１を使用する場合には、連接された台紙基材２２をミシン目で形成された二つ折りするための罫線２４に沿って切断して使用するのである。
【００４３】
台紙基材２２には、複数のカード貼着位置を示す罫線２５ａ、２５ｂが設けられており、その１つのカード貼着位置を示す罫線２５ａ、２５ｂ内には、カード３の面積よりも小面積の複数の粘着性材２６ａ、２６ｂが設けられている。
【００４４】
このようにカード３の面積よりも小面積の複数の粘着性材２６ａ、２６ｂを設ける場合には、該複数の粘着性材２６ａ、２６ｂの面積の合計が前記カード３の面積よりも小面積であれば良く、該複数の粘着性材２６ａ、２６ｂの面積の合計が、貼着されるカード３の面積の略２〜３０％程度の範囲の面積であることが好ましい。
【実施例３】
【００４５】
次に、本発明に係る実施例３のカード送付用台紙３１を図６を用いて説明する。なお、この実施例３においては、前記実施例１のカード貼着位置を示す罫線の形状と、粘着性材を設ける位置とを変えたものものであり、その他の構成については、前記実施例１と実質的に同一であるため、前記実施例１と実質的に同一の部分については、同一の符号を付し、説明が重複するため、その詳細な説明は省略する。
【００４６】
図６に、実施例６のカード送付用台紙３１の略示的な平面図を示してある。この実施例３においては、カード送付用台紙３１の台紙基材３２に設ける二つ折りするための罫線３４をミシン目で形成し、該二つ折りするための罫線３４に沿って容易に二つ折りできるようにしている。
【００４７】
台紙基材３２に設けられたカード貼着位置を示す罫線３５ａ、３５ｂは、該カード貼着位置を示す罫線３５ａ、３５ｂの範囲内に貼着されるカード３と略同一の大きさで設けられているが、該カード３の周囲を完全に囲むようには形成せず、一辺を省略してデザイン性を重視した形状で設けてある。
【００４８】
要するに、カード貼着位置を示す罫線３５ａ、３５ｂは、貼着させるカード３の形状と全く同一にしなければならないというものではなく、該カード３を貼着させる位置が解るように示されていれば良いものである。
【００４９】
また、カード貼着位置を示す罫線３５ａ、３５ｂ内に貼着される粘着性材３６ａ、３６ｂは、隣接するカード貼着位置を示す罫線３５ａ、３５ｂ間に跨がせて一連の粘着性材３６ａ、３６ｂとして設けても良く、この場合でも粘着性材３６ａ、３６ｂは貼着されるカード３よりも小面積となる。更に、該粘着性材３６ａ、３６ｂを設ける範囲を着色して示しても良い。
【００５０】
このように、粘着性材３６ａ、３６ｂを隣接するカード貼着位置を示す罫線３５ａ、３５ｂ間に跨がせて一連に設けることにより、前記粘着性材３６ａ、３６ｂを台紙基材３２に設ける工程を減少させて、コストを削減できるようになる。
【００５１】
なお、二つ折りするための罫線４、２４、３４と、カード貼着位置を示す罫線５ａ、５ｂ、２５ａ、２５ｂ、３５ａ、３５ｂとは、二つ折りまたはカード３を貼着させる位置をそれぞれ示したものであるが、本発明に係るカード送付用台紙１、２１、３１は、例えば、粘着性材６ａ、６ｂ、２６ａ、２６ｂ、３６ａ、３６ｂの周囲を罫線で示して該粘着性材６ａ、６ｂ、２６ａ、２６ｂ、３６ａ、３６ｂの位置を明確にする等して、二つ折りするための罫線４、２４、３４と、カード貼着位置を示す罫線５ａ、５ｂ、２５ａ、２５ｂ、３５ａ、３５ｂとを省略し、台紙基材２、２２、３２を二つ折りにして前記粘着性材６ａ、６ｂ、２６ａ、２６ｂ、３６ａ、３６ｂを前記カード３の両面に貼着させて該カード３を両面から拘持する構成にすることを含むものである。
【図面の簡単な説明】
【００５２】
【図１】本発明に係る実施例１のカード送付用台紙を略示的に示した平面図である。
【図２】同カード送付用台紙がカードを両面から拘持した状態を拡大し略示的に示した側面図である。
【図３】同カード送付用台紙の粘着性材に剥離紙を配設させた状態を拡大し略示的に示した側面図である。
【図４】同カード送付用台紙を包帯内に入れる状態を略示的に示した平面図である。
【図５】本発明に係る実施例２のカード送付用台紙を略示的に示した平面図である。
【図６】本発明に係る実施例３のカード送付用台紙を略示的に示した平面図である。
【符号の説明】
【００５３】
１、２１、３１  カード送付用台紙
２、２２、３２  台紙基材
２ａ  台紙基材の表面
２ｂ  台紙基材の裏面
３  カード
４、２４、３４  二つ折りするための罫線
５ａ、５ｂ、２５ａ、２５ｂ、３５ａ、３５ｂ  カード貼着位置を示す罫線
６ａ、６ｂ、２６ａ、２６ｂ、３６ａ、３６ｂ  粘着性材
７ａ  フィルム基材
７ｂ  台紙基材側の粘着剤
７ｃ  カード側の粘着剤
８  剥離紙
９  包帯
【図１】
2005178255.tif 000003
【図２】
2005178255.tif 000004
【図３】
2005178255.tif 000005
【図４】
2005178255.tif 000006
【図５】
2005178255.tif 000007
【図６】
2005178255.tif 000008